(57)【特許請求の範囲】
【請求項１】
所定年数を履修期間とする教育機関の行事を撮影した多数の撮影写真を、該教育機関の識別情報および撮影年度の情報を含む第１認証キーと対応づけて、第１データベースとして記憶する第１記憶手段と、
ユーザ端末からそのＩＤ情報と前記第１認証キーとをインターネットを介して受信したときに、前記第１データベースの中から該第１認証キーが対応づけられた撮影写真を検索する撮影写真検索手段と、
前記撮影写真検索手段で検索された撮影写真を、前記ユーザ端末に対してインターネットを介して送信する撮影写真送信手段と、
前記送信した撮影写真の中から少なくとも一部の撮影写真を購入するための操作が前記ユーザ端末で実行されたときに、該購入対象となる撮影写真を、前記第１認証キーおよび前記ＩＤ情報と対応づけて第２データベースとして記憶する第２記憶手段と、
ユーザ端末からそのＩＤ情報と共に前記購入写真の閲覧要求を受信したときに、前記第２データベースの中から該受信したＩＤ情報と対応づけられている購入写真を検索する購入写真検索手段と、
前記購入写真検索手段で検索された購入写真を、前記ユーザ端末に送信する購入写真送信手段と、
教育機関から発行される写真集としての記念アルバムと、該記念アルバムを発行した教育機関の識別情報および発行年度の情報を含む第２認証キーとが入力されたとき、該第２認証キーを前記第２データベースに含まれる前記第１認証キーと照合して、該第２認証キーに含まれる発行年度に対応した撮影年度の情報を有するＩＤ情報を検索するＩＤ情報検索手段と、
前記第２データベースのうち前記ＩＤ情報検索手段で検索された全てのＩＤ情報について、前記入力された前記記念アルバムを対応づけて記憶、更新して、前記撮影写真検索手段で検索される撮影写真として該記念アルバムが含まれるようにする更新手段と、
を備えていることを特徴とする記念アルバムの掲載システム。
【請求項２】
所定年数を履修期間とする教育機関の行事を撮影した多数の撮影写真を、該教育機関の識別情報および撮影年度の情報を含む第１認証キーと対応づけて、第１データベースとして記憶する第１記憶手段と、
ユーザ端末からそのＩＤ情報と前記第１認証キーとをインターネットを介して受信したときに、前記第１データベースの中から該第１認証キーが対応づけられた撮影写真を検索する撮影写真検索手段と、
前記撮影写真検索手段で検索された撮影写真を、前記ユーザ端末に対してインターネットを介して送信する撮影写真送信手段と、
前記送信した撮影写真の中から少なくとも一部の撮影写真を購入するための操作が前記ユーザ端末で実行されときに、該購入対象となる撮影写真を、前記第１認証キーおよび前記ＩＤ情報と対応づけて第２データベースとして記憶する第２記憶手段と、
ユーザ端末からそのＩＤ情報と共に前記購入写真の閲覧要求を受信したときに、前記第２データベースの中から該受信したＩＤ情報と対応づけられている購入写真を検索する購入写真検索手段と、
前記購入写真検索手段で検索された購入写真を、前記ユーザ端末に送信する購入写真送信手段と、
教育機関から発行される写真集としての記念アルバムを、該記念アルバムを発行した教育機関の識別情報および発行年度の情報を含む第２認証キーと対応づけて第３データベースとして記憶した第３記憶手段と、
前記記念アルバムを発行した教育機関の識別情報および発行年度の情報を含む第２認証キーとが入力されたとき、該第２認証キーを前記第２データベースに含まれる前記第１認証キーと照合して、該第２認証キーに含まれる発行年度に対応した撮影年度の情報を有するＩＤ情報を検索するＩＤ情報検索手段と、
前記第２データベースのうち前記ＩＤ情報検索手段で検索された全てのＩＤ情報について、前記入力された前記記念アルバムを対応づけて記憶、更新して、前記撮影写真検索手段で検索される撮影写真として該記念アルバムが含まれるようにする更新手段と、
を備えていることを特徴とする記念アルバムの掲載システム。
【請求項３】
所定年数を履修期間とする教育機関の行事を撮影した多数の撮影写真を、該教育機関の識別情報および撮影年度の情報を含む第１認証キーと対応づけて、第１データベースとして記憶する第１記憶手段と、
ユーザ端末からそのＩＤ情報と前記第１認証キーとをインターネットを介して受信したときに、前記第１データベースの中から該第１認証キーが対応づけられた撮影写真を検索する撮影写真検索手段と、
前記撮影写真検索手段で検索された撮影写真を、前記ユーザ端末に対してインターネットを介して送信する撮影写真送信手段と、
前記送信した撮影写真の中から少なくとも一部の撮影写真を購入するための操作が前記ユーザ端末で実行されときに、該購入対象となる撮影写真を、前記第１認証キーおよび前記ＩＤ情報と対応づけて第２データベースとして記憶する第２記憶手段と、
ユーザ端末からそのＩＤ情報と共に前記購入写真の閲覧要求を受信したときに、前記第２データベースの中から該受信したＩＤ情報と対応づけられている購入写真を検索する購入写真検索手段と、
前記購入写真検索手段で検索された購入写真を、前記ユーザ端末に送信する購入写真送信手段と、
教育機関から発行される写真集としての記念アルバムを、該記念アルバムを発行した教育機関の識別情報および発行年度の情報を含む第２認証キーと対応づけて第３データベースとして記憶した第３記憶手段と、
ユーザ端末からそのＩＤ情報と前記第２認証キーを受信したときに、受信した第２認証キーが前記第３データベース中に記憶されている第２認証キーと一致することを条件として、該受信したＩＤ情報について前記記念アルバムを対応づけて記憶、更新して、前記撮影写真検索手段で検索される撮影写真として該記念アルバムが含まれるようにする更新手段と、
を備えていることを特徴とする記念アルバムの掲載システム。
【請求項４】
請求項１ないし請求項３のいずれか１項において、
前記記念アルバムが卒業アルバムとされている、ことを特徴とする記念アルバムの掲載システム。
【請求項５】
請求項１または請求項２において、
教育機関の履修期間が特定の複数年とされて、前記第１認証キーが該教育機関で履修している全ての履修生に共通用として１年毎に相違するものとして設定され、
前記ＩＤ情報検索手段は、前記第２認証キーに含まれる発行年度を最終年度として前記特定の複数年に対応した複数の第１認証キーを有するＩＤ情報を検索する、
ことを特徴とする記念アルバムの掲載システム。
【請求項６】
請求項１または請求項２において、
教育機関の履修期間が特定の複数年とされて、前記第１認証キーが、該教育機関で履修している履修生の学年毎に相違するようにかつ１年毎に相違するように設定され、
前記ＩＤ情報検索手段は、前記第２認証キーに含まれる発行年度を最終学年とする前記第１認証キーを有するＩＤ情報を検索する、
ことを特徴とする記念アルバムの掲載システム。
【請求項７】
請求項１ないし請求項３のいずれか１項において、
前記記念アルバムが、周年行事についての写真集となるイヤーアルバムとされている、ことを特徴とする記念アルバムの掲載システム。
【請求項８】
請求項１ないし請求項７のいずれか１項において、
前記各認証キーが、符号化した符号形式とされ、
符号形式とされた前記各認証キーとこれに対応する教育機関名の情報および年度の情報とを対応づけて第４データベースとして記憶した第４記憶手段をさらに備えている、
ことを特徴とする記念アルバムの掲載システム。
【発明の詳細な説明】
【技術分野】
【０００１】
本発明は、記念アルバムの掲載システムに関するものである。
【背景技術】
【０００２】
写真をアルバムに収録して保存することが個人的に行われている。アルバムに収録された写真は、時間の経過と共に劣化し、鮮明な写真として残すことが難しいものである。このため、写真の電子データを、パソコンなどの記憶媒体に記憶させることも行われている。
【０００３】
ところで、最近では、教育機関例えば幼稚園等において、運動会や文化祭等の行事がある毎に、行事が行われる場所に撮影の専門家が出向いて数多くの写真を撮影すると共に、この数多くの撮影写真（撮影された写真）を所定のホームページを通して閲覧、購入できるようなシステムが実用化されている。すなわち、教育機関の履修生は、インターネットを介して上記所定のホームページにアクセスして、撮影写真を閲覧し、気に入った撮影写真を購入できるようにしたシステムが実用化されている。
【０００４】
上記システムの場合、ユーザとなる関係者（教育機関の履修生やその親、教員等）のみが閲覧購入できるように、撮影写真には、教育機関の識別情報と撮影年度に関する情報とを含む認証キーを対応づけて第１データベースとして記憶しておき、閲覧、購入する際には、ユーザがそのＩＤ情報（ユーザの識別情報）と共に認証キーを入力することを条件として、撮影写真の閲覧、購入が可能となるようにしてある。
【０００５】
上記のようにして購入された撮影写真つまり購入写真は、購入したユーザのＩＤ情報と対応づけられた状態で第２データベースとして記憶される。そして、ユーザが、購入写真の閲覧要求をした場合は、少なくともユーザのＩＤ情報の入力を条件として、上記第２データベースとして記憶されている購入写真のうち、入力されたＩＤ情報に対応づけられた購入写真を閲覧可能としている。つまり、ユーザは、閲覧可能な購入写真を、ユーザ毎に専用のデータベースとして外部に構築している状態を得ることができる。このようなシステムにより、各ユーザ（各個人）は、自分で撮影写真の管理を行うことが不要となり、インターネットに接続できる環境にあれば、ユーザは購入写真をどこでも自由に閲覧することが可能となる。
【０００６】
なお、認証キーを利用したアクセス制限等は、例えば特許文献１、特許文献２に記載のものがあるが、いずれも、撮影写真の購入とは無関係なものとなっている。
【先行技術文献】
【特許文献】
【０００７】
【特許文献１】特開２００８−１１２３８１号公報
【特許文献２】特開２００９−２３８２２０号公報
【発明の概要】
【発明が解決しようとする課題】
【０００８】
ところで、教育機関においては、写真集となる各種の記念アルバムを発行することがある。例えば、履修生の卒業毎に記念アルバムとして卒業アルバムが発行され、また例えば創立２０周年記念等にはイヤーアルバムが発行される。このような記念アルバムは、履修生あるいは履修生であった者全員を対象として有料でもって発行されるが、通常は手渡しあるいは家庭への宅配便等による配送によって行われる。
【０００９】
上記のように、手渡しや配送でもって渡される記念アルバムは、その関係者にとっては思い出深いものとなるが、前述したインターネットを介して購入した購入写真とは無関係な存在となる。すなわち、前述した購入写真をインターネットを介して閲覧しても、思い出深い記念アルバムは閲覧対象として含まれないものとなっていた。
【００１０】
本発明は以上のような事情を勘案してなされたもので、購入写真をインターネットを介して自由に閲覧できる各個人専用のデータベース中に、記念アルバムを含ませることのできるようにした記念アルバムの掲載システムを提供することにある。
【課題を解決するための手段】
【００１１】
前記目的を達成するため、本発明にあっては次のような第１の解決手法を採択してある。すなわち、請求項１に記載のように、
所定年数を履修期間とする教育機関の行事を撮影した多数の撮影写真を、該教育機関の識別情報および撮影年度の情報を含む第１認証キーと対応づけて、第１データベースとして記憶する第１記憶手段と、
ユーザ端末からそのＩＤ情報と前記第１認証キーとをインターネットを介して受信したときに、前記第１データベースの中から該第１認証キーが対応づけられた撮影写真を検索する撮影写真検索手段と、
前記撮影写真検索手段で検索された撮影写真を、前記ユーザ端末に対してインターネットを介して送信する撮影写真送信手段と、
前記送信した撮影写真の中から少なくとも一部の撮影写真を購入するための操作が前記ユーザ端末で実行されたときに、該購入対象となる撮影写真を、前記第１認証キーおよび前記ＩＤ情報と対応づけて第２データベースとして記憶する第２記憶手段と、
ユーザ端末からそのＩＤ情報と共に前記購入写真の閲覧要求を受信したときに、前記第２データベースの中から該受信したＩＤ情報と対応づけられている購入写真を検索する購入写真検索手段と、
前記購入写真検索手段で検索された購入写真を、前記ユーザ端末に送信する購入写真送信手段と、
教育機関から発行される写真集としての記念アルバムと、該記念アルバムを発行した教育機関の識別情報および発行年度の情報を含む第２認証キーとが入力されたとき、該第２認証キーを前記第２データベースに含まれる前記第１認証キーと照合して、該第２認証キーに含まれる発行年度に対応した撮影年度の情報を有するＩＤ情報を検索するＩＤ情報検索手段と、
前記第２データベースのうち前記ＩＤ情報検索手段で検索された全てのＩＤ情報について、前記入力された前記記念アルバムを対応づけて記憶、更新して、前記撮影写真検索手段で検索される撮影写真として該記念アルバムが含まれるようにする更新手段と、
を備えているようにしてある。
【００１２】
上記第１の解決手法によれば、記念アルバムが、購入写真のリストとなる第２データベース中に追加されて、購入写真を閲覧したときには記念アルバムも合わせて閲覧することができる。また、第２認証キーと記念アルバムを入力するという１回の操作でもって、多くのユーザについて第２データベース中に記念アルバムを追加することができる。
【００１３】
前記目的を達成するため、本発明にあっては次のような第２の解決手法を採択してある。すなわち、請求項２に記載のように、
所定年数を履修期間とする教育機関の行事を撮影した多数の撮影写真を、該教育機関の識別情報および撮影年度の情報を含む第１認証キーと対応づけて、第１データベースとして記憶する第１記憶手段と、
ユーザ端末からそのＩＤ情報と前記第１認証キーとをインターネットを介して受信したときに、前記第１データベースの中から該第１認証キーが対応づけられた撮影写真を検索する撮影写真検索手段と、
前記撮影写真検索手段で検索された撮影写真を、前記ユーザ端末に対してインターネットを介して送信する撮影写真送信手段と、
前記送信した撮影写真の中から少なくとも一部の撮影写真を購入するための操作が前記ユーザ端末で実行されときに、該購入対象となる撮影写真を、前記第１認証キーおよび前記ＩＤ情報と対応づけて第２データベースとして記憶する第２記憶手段と、
ユーザ端末からそのＩＤ情報と共に前記購入写真の閲覧要求を受信したときに、前記第２データベースの中から該受信したＩＤ情報と対応づけられている購入写真を検索する購入写真検索手段と、
前記購入写真検索手段で検索された購入写真を、前記ユーザ端末に送信する購入写真送信手段と、
前記記念アルバムを発行した教育機関の識別情報および発行年度の情報を含む第２認証キーと対応づけて第３データベースとして記憶した第３記憶手段と、
教育機関から発行される写真集としての記念アルバムと、該記念アルバムを発行した教育機関の識別情報および発行年度の情報を含む第２認証キーとが入力されたとき、該第２認証キーを前記第２データベースに含まれる前記第１認証キーと照合して、該第２認証キーに含まれる発行年度に対応した撮影年度の情報を有するＩＤ情報を検索するＩＤ情報検索手段と、
前記第２データベースのうち前記ＩＤ情報検索手段で検索された全てのＩＤ情報について、前記入力された前記記念アルバムを対応づけて記憶、更新して、前記撮影写真検索手段で検索される撮影写真として該記念アルバムが含まれるようにする更新手段と、
を備えているようにしてある。
【００１４】
上記第２の解決手法によれば、記念アルバムが、購入写真のリストとなる第２データベース中に追加されて、購入写真を閲覧したときには記念アルバムも合わせて閲覧することができる。、また、第３データベース中に記念アルバムを含ませておくことにより、記念アルバムの情報を別途有しない状況でも、任意の箇所で第２認証キーを入力するという簡単な操作でもって、多くのユーザについて第２データベース中に記念アルバムを追加することができる。
【００１５】
前記目的を達成するため、本発明にあっては次のような第３の解決手法を採択してある。すなわち、請求項３に記載のように、
所定年数を履修期間とする教育機関の行事を撮影した多数の撮影写真を、該教育機関の識別情報および撮影年度の情報を含む第１認証キーと対応づけて、第１データベースとして記憶する第１記憶手段と、
ユーザ端末からそのＩＤ情報と前記第１認証キーとをインターネットを介して受信したときに、前記第１データベースの中から該第１認証キーが対応づけられた撮影写真を検索する撮影写真検索手段と、
前記撮影写真検索手段で検索された撮影写真を、前記ユーザ端末に対してインターネットを介して送信する撮影写真送信手段と、
前記送信した撮影写真の中から少なくとも一部の撮影写真を購入するための操作が前記ユーザ端末で実行されときに、該購入対象となる撮影写真を、前記第１認証キーおよび前記ＩＤ情報と対応づけて第２データベースとして記憶する第２記憶手段と、
ユーザ端末からそのＩＤ情報と共に前記購入写真の閲覧要求を受信したときに、前記第２データベースの中から該受信したＩＤ情報と対応づけられている購入写真を検索する購入写真検索手段と、
前記購入写真検索手段で検索された購入写真を、前記ユーザ端末に送信する購入写真送信手段と、
教育機関から発行される写真集としての記念アルバムを、該記念アルバムを発行した教育機関の識別情報および発行年度の情報を含む第２認証キーと対応づけて第３データベースとして記憶した第３記憶手段と、
ユーザ端末からそのＩＤ情報と前記第２認証キーを受信したときに、受信した第２認証キーが前記第３データベース中に記憶されている第２認証キーと一致することを条件として、該受信したＩＤ情報について前記記念アルバムを対応づけて記憶、更新して、前記撮影写真検索手段で検索される撮影写真として該記念アルバムが含まれるようにする更新手段と、
を備えているようにしてある。
【００１６】
上記解決手法によれば、記念アルバムが、購入写真のリストとなる第２データベース中に追加されて、購入写真を閲覧したときには記念アルバムも合わせて閲覧することができる。また、記念アルバムを第２データベース中に追加するか否かを、ユーザ個人毎に選択させることができる。
【００１７】
前記各解決手法を前提とした好ましい態様は、請求項４以下に記載のとおりである。
【００１８】
前記記念アルバムが卒業アルバムとされている、ようにしてある（請求項４対応）。この場合、記念アルバムとしてもっとも一般的な卒業アルバムを第２データベース中に追加することができる。
【００１９】
教育機関の履修期間が特定の複数年とされて、前記第１認証キーが該教育機関で履修している全ての履修生に共通用として１年毎に相違するものとして設定され、
前記ＩＤ情報検索手段は、前記第２認証キーに含まれる発行年度を最終年度として前記特定の複数年に対応した複数の第１認証キーを有するＩＤ情報を検索する、
ようにしてある（請求項５対応）。この場合、第１認証キーの数を極力少なくする上で好ましいものとなる。
【００２０】
教育機関の履修期間が特定の複数年とされて、前記第１認証キーが、該教育機関で履修している履修生の学年毎に相違するようにかつ１年毎に相違するように設定され、
前記ＩＤ情報検索手段は、前記第２認証キーに含まれる発行年度を最終学年とする前記第１認証キーを有するＩＤ情報を検索する、
ようにしてある（請求項６対応）。この場合、記念アルバムを追加すべきＩＤ情報を簡単に検索する上で好ましいものとなる。
【００２１】
前記記念アルバムが、周年行事についての写真集となるイヤーアルバムとされている、ようにしてある（請求項７対応）。この場合、イヤーアルバムを第２データベース中に追加することができる。
【００２２】
前記各認証キーが、符号化した符号形式とされ、
符号形式とされた前記各認証キーとこれに対応する教育機関名の情報および年度の情報とを対応づけて第４データベースとして記憶した第４記憶手段をさらに備えている、
ようにしてある（請求項８対応）。この場合、ある認証キーがどの教育機関のものであるか等を、不特定多数の者に知られないようにする上で好ましいものとなる。
【発明の効果】
【００２３】
本発明によれば、購入写真をインターネットを介して自由に閲覧できる各個人専用のデータベース中に、記念アルバムを含ませることができる。
【図面の簡単な説明】
【００２４】
【図１】本発明システムの全体の概略を示す系統図。
【図２】毎年発行される第１認証キーの一例を示す図。
【図３】販売用の撮影写真を記憶した第１データベースの一例を示す図。
【図４】購入した撮影写真を記憶した第２データベースの一例を示す図。
【図５】撮影写真を購入する際の制御例を示すフローチャート。
【図６】購入した撮影写真を閲覧する際の制御例を示すフローチャート。
【図７】記念アルバムを第２データベースに追加する制御例を示すフローチャート。
【発明を実施するための形態】
【００２５】
図１は、本発明システムの全体系統図を簡略的に示すものであり、以下本発明システムの概略について説明する。まず、教育機関としてある特定の中学校Ａが示され、その履修期間（卒業までに必要な年数）は３年間とされている。中学校Ａが各種行事を行う際、例えば文化祭や運動会、宿泊を伴う林間学校や臨界学校等を行う場合に、後述するサーバ装置１を管理する管理会社から、写真撮影の専門家が派遣されて、行事が行われているときに多くの写真を撮影する。撮影された多くの写真（撮影写真）は、後述するように、中学校Ａの履修生（生徒）が購入できるように、第１データベースとしてサーバ装置１の記憶手段（例えばハードディスク）に記憶される。なお、サーバ装置１においてデータベース等として処理される撮影写真や購入写真は全て電子データ（例えばＪＰＥＧ形式）でもって行われる。
【００２６】
ユーザ（特に中学校Ａの生徒）は、ユーザ端末２を操作することにより、インターネットを介してサーバ装置１にアクセスして、第１データベース中の撮影写真の中から好みの撮影写真を購入可能とされる。購入した撮影写真は、スマートアルバムとしてユーザ個人別に第２データベースとしてサーバ装置１に記憶、管理される。ユーザは、ユーザ端末２からインターネットを介してサーバ装置１にアクセスして、スマートアルバムとして記憶されている購入写真を自由に閲覧可能とされる。
【００２７】
中学校Ａは、毎年誕生する卒業生に対して、写真集としての卒業アルバムを発行する。この卒業アルバムは、サーバ装置１の管理会社が作成し、中学校Ａから卒業生に対して手渡しあるいは配送される。学校の依頼を受けた上記管理会社が、卒業アルバムを卒業生に対する配送手続き（の代理）を行う場合もある。
【００２８】
上記卒業アルバムは、有料でもって卒業生に渡されることになる。そして、卒業アルバムは、前述した購入写真を自由に閲覧できる第２データベース中には含まれない存在とされる。本発明システムでは、後述するように、第１認証キーと第２認証キーとを利用して、上記第２データベース中に卒業アルバム（の電子データ）を追加でもって記憶させるようにしてある。
【００２９】
次に、認証キーについて説明する。まず、中学校Ａは、毎年度（学年単位での年度で、例えば４月１日から翌年の３月３１日までを１年度として設定する）毎に、第１認証キーを発行する（生徒に知らせる）。この第１認証キーは、実施形態では、各学年共通用とされている。第１認証キーは、少なくとも中学校Ａを特定する識別情報とその発行年度の情報とを含むものとされている。
【００３０】
第１認証キーの設定例について、図２を参照しつつ説明する。まず、ユーザとしてのある特定の生徒（履修生）を識別する個人識別情報が、例えばＩＤＡとして示される。なお、別の生徒については、個人識別情報がＩＤＢ、ＩＤＣ・・・というように付される。このＩＤＡの識別情報を有する生徒は、第１学年のときには例えばＫ１Ａという第１認証キーが付与され（例えば２０１２年度に対応）、第２学年では別の第１認証キーＫ１Ｂが付与され（例えば２０１３年度に対応）、第２学年ではさらに別の第１認証キーＫ１Ｃ（例えば２０１４年度に対応）が付与される。すなわち、ＩＤＡで識別される生徒は、在学中にＫ１Ａ〜Ｋ１Ｃの３つの異なる第１認証キーが付与されることになる。このことは、他の生徒についても同じであるが、同じ年度あれば、第１認証キーは全学年共通とされる。この第１認証キーおよび後述する第２認証キーには、教育機関の履修年数（中学校Ａの場合の履修年数は３年）に関する情報をも含むようにしてある。
【００３１】
次に、販売用の撮影写真（のデータ）を記憶した第１データベースについて、図３を参照しつつ説明する。図３中左欄は、第１認証キーの区別である。第１認証キーの欄の右隣欄が、中学校Ａで行われた行事を識別する欄である（行事１、行事２・・・等で区別）。そして、各行事毎に、撮影写真が対応づけて記憶されている。例えば、第１認証キーがＫ１Ａで、行事１については、撮影写真ＰＡ１、ＰＡ２、ＰＡ３・・・というように記憶される。また、例えば第１認証キーＫ１Ｂについては、行事２の撮影写真として、ＰＥ１、ＰＥ２、ＰＥ３・・・といように対応づけて記憶されている。
【００３２】
図４は、図３に示すような態様で記憶されている第１データベース中の撮影写真の中から、ユーザが好みの撮影写真を選択して購入したときにサーバ装置１において作成される第２データベースの一例を示す。撮影写真の購入の際には、ユーザは、ユーザ端末２を操作して、自分のＩＤ情報と第１認証キーとの入力が条件とされる。これにより、第２データベースは、購入された撮影写真について、撮影写真を購入したユーザのＩＤ情報と入力された第１認証キーとを対応づけて、図４のようなデータベースを作成する。図４では、例えばＩＤＡという個人識別情報を有するユーザが、第１認証キーとしてＫ１Ａ〜Ｋ１Ｃの３つの第１認証キーを有し、各第１認証キーに対応する各行事についてある枚数の撮影写真を購入した内容となっている。すなわち、例えば第１認証キーＫ１Ａ（２０１２年度対応）には、ユーザが、行事１について撮影写真ＰＡ１、ＰＡ４を購入しているが、ＰＡ２、ＰＡ３は購入していない、という内容になっている。
【００３３】
中学校Ａを新たに卒業する卒業生に対する卒業アルバムが発行されると、この卒業アルバムに対して、第２認証キーが対応づけられて付与される。第２認証キーは、少なくとも、中学校Ａを特定するための識別情報の他、卒業アルバムの発行年度（つまり例えば２０１４年度卒業生用というように、何年度の卒業生用かを示す年度）の識別情報を含むものとなっている。
【００３４】
卒業アルバムの第２データベース中への追加の処理が、例えば次のようにして行われる。まず、管理会社が、サーバ装置１に対して、卒業アルバム（の電子データ）と第２認証キーとを入力する。サーバ装置１は、入力された第２認証キーを、第２データベースに記憶されている第１認証キーと照合して、第２認証キーが有する卒業アルバムの発行年度に対応したＩＤ情報（つまり卒業性となる生徒のＩＤ情報）を全て検索する。実施形態の場合、履修年数が３年間であるから、例えば卒業アルバムが２０１４年度において第３学年となる卒業生用であれば、図４に示すような第２データベースの中から、３年分の第１認証キー（Ｋ１Ａ〜Ｋ１Ｃ）を有するＩＤ情報が全て検索される。そして、サーバ装置１は、検索された全てのＩＤ情報に対して、卒業アルバムを購入写真として第２データベースに追加する（更新）。これにより、ユーザは、購入リストを閲覧したときに、卒業アルバムを他の購入写真と共に閲覧することができる状態となる。
【００３５】
次に、図５〜図７のフローチャートを参照しつつ、前述したサーバ装置１の制御（機能）例について説明するが、以下の説明でＳはステップを示す。なお、撮影写真の購入や購入写真の閲覧のために、前準備として、ユーザ端末２からサーバ装置１へアクセスして、ユーザ登録されているものとする。このユーザ登録は、例えば、ユーザの住所、氏名、個人を識別するための識別情報としてのＩＤ情報（ユーザの選択で、実施形態ではメールアドレスをＩＤ情報として利用）、パスワード、少なくとも１つの第１認証キーとの入力が条件とされ、この他、ユーザの所属する（あるいは所属していた）教育機関の名称（実施形態では中学校Ａ）が入力されて、この入力された内容がサーバ装置１に記憶されているものである。なお、少なくとも１つの第１認証キーの入力させるのは、教育機関（実施形態では中学校Ａ）と全く無関係な者が、ユーザ登録してしまうような事態を避けるためである（サーバ装置１に記憶されている撮影写真等を勝手に見られてしまう事態を阻止）。
【００３６】
以上のことを前提として、ユーザ端末２からサーバ装置１へアクセスすると、当初はホームページの表示が行われて、少なくとも、撮影写真の購入サイトへ進む選択と、購入写真を閲覧するスマートアルバムのサイトへ進む選択とが可能とされている（このようなホームページの表示例は図示略）。
【００３７】
図５は、撮影写真を購入するサイトへ進んだときの制御例を示すものである。まず、Ｓ１において、ＩＤ情報とパスワードと第１認証キーとの入力（受信）が行われたか否かが判別される。このＳ１の判別でＮＯのときは、そのままリターンされる。
【００３８】
Ｓ１の判別でＹＥＳのときは、Ｓ２において、第１認証キーＫ１（Ｋ１ＡやＫ１Ｂ等）に対応した撮影写真が、図３に示す第１データベースの中から検索（選択）される。Ｓ３では、検索された撮影写真を、その行事名（図３において行事１、行事２等でもって簡略的に示す）と共に、ユーザ端末２に送信する。サーバ装置１からの送信を受けたユーザ端末２には、その表示画面に撮影写真と行事名とが表示される。ユーザは、多くの撮影写真の中から好みの撮影写真を選択して、購入する旨の操作を行うことになる（購入しない場合もあり）。
【００３９】
Ｓ３の後、Ｓ４において、ユーザ端末２において撮影写真を購入する操作が行われたか否かが判別される。このＳ４の判別でＹＥＳのときは、購入操作された撮影写真について、第１認証キーとＩＤ情報とを対応づけて、図４に示すような第２データベースを作成、記憶する。なお、ユーザ端末２を通しての撮影写真の購入そのものは、基本的に既知の各種商品の購入の場合と同じように行うことができる。ただし、写真であることから、購入を希望した撮影写真の配送先や支払い方法等の一般的事項の他、例えば写真のサイズや枚数等の希望が合わせてユーザ端末２において選択できるようにしてある。なお、購入写真は、印画紙形式でもって別途ユーザに配送されるが、ユーザの選択により印画紙形式および／または電子データの形式でもって送付することもできる。
【００４０】
図６は、ユーザが、購入した撮影写真を閲覧するときの制御例を示すものであり、サーバ装置のホームページにおいて表示される例えば「スマートアルバム」という名称のサイトへ進むことを選択した場合を示す。まず、Ｓ１１において、ユーザ端末２からのＩＤ情報とパスワードとが入力されたか否かが判別される。なお、このＳ１１では、少なくと１つの第１認証キーの入力をも次に進むための入力条件とすることもできる。
【００４１】
Ｓ１１の判別でＮＯのときは、そのままリターンされる。Ｓ１１の判別でＹＥＳのときは、Ｓ１２において、入力されたＩＤ情報について記憶されている購入写真を、第２データベースの中から検索する。そして、Ｓ１３において、検索された全ての購入写真をユーザ端末２に送信する。
【００４２】
図７は、管理会社の処理によって、卒業アルバムを第２データベースに追加するための制御例を示す。まず、Ｓ２１において、卒業アルバム（の電子データ）とこれに対応づけられた第２認証キーとがサーバ装置１に入力されたか否かが判別される。このＳ２１の判別でＮＯのときは、そのままリターンされる。Ｓ２１の判別でＹＥＳのときは、Ｓ２２において、第２認証キーＫ２と第１認証キーＫ１（Ｋ１Ａ、Ｋ１Ｂ等）とから、第２認証キーに含まれる発行年度を卒業年度とする第１認証キー（の組み合わせ）を有するＩＤ情報が検索される。実施形態では、卒業アルバムが図２において２０１４年度の卒業生とする場合は、履修年数分の３つの第１認証キーＫ１Ａ〜Ｋ１Ｃの全てを有するＩＤ情報が検索される。
【００４３】
Ｓ２２の後、Ｓ２３において、検索された全てのＩＤ情報について、Ｓ２１で入力された卒業アルバムが第２データベース中に購入撮影写真として追加して記憶される（更新）。これにより、ユーザが、「スマートアルバム」から購入撮影写真を閲覧したときは、卒業アルバムも閲覧できることとなる。
【００４４】
ここで、卒業アルバムを購入撮影写真のリストとなる第２データベースへの追加を、ユーザの選択によって行わせることもできる。この場合、卒業アルバムとその第２認証キーとが対応づけられた第３データベースとしてサーバ装置１に記憶されている。ユーザは、そのＩＤ情報とパスワードと第２認証キーとをサーバ装置１へ送信すると、サーバ装置１は、入力されたＩＤ情報について、第２データベース中に、第３データベースに記憶されている卒業アルバムを追加して記憶させる（更新）。この場合は、ユーザの選択によって、卒業アルバムを「スマートアルバム」中に含ませるか否かを自由に選択することができ、また管理会社の負担も小さいものとなる。
【００４５】
ここで、記念アルバムを、インターネットを介して閲覧、購入可能として、購入した記念アルバムを購入写真に関するデータベース中に加えることも考えられるが、この場合は、既に購入料金を支払っている記念アルバムを再度購入することとなるので、現実的ではない。また、卒業アルバムを第２データベース中に追加できるようにすることは、管理会社にとって無償のサービスとなるが、より多くの教育機関に利用してもらうこと（大元の顧客の獲得）や、個々のユーザに撮影写真をより積極的に購入してもらうための動機付けともなる。もっとも、記念アルバムを第２データベース中に追加する処理は、記念アルバムの料金に比して相当に安価な料金の支払いを条件として実行されるようにすることもできる（管理会社の新たな収益源となる）。
【００４６】
以上実施形態について説明したが、本発明は、実施形態に限定されるものではなく、特許請求の範囲の記載された範囲において適宜の変更が可能である。第１認証キーは、各学年毎に相違させて発行する場合にも同様に適応できる。例えば、図２の例では、ある年度（例えば２０１２年度）について、第１学年と第２学年と第３学年とに対して互いに相違する第１認証キーを付与する場合であってもよい（卒業アルバムが渡される卒業年度になる履修生を、第２認証キーを利用してより容易に検索できる）。教育機関としては、中学校に限らず、保育園、幼稚園、小学校、高等学校、大学、大学院、各種の専門学校等、適宜の教育機関とすることができる。勿論、教育機関での履修年数は、複数年の場合に限らず、１年の場合であってもよい。記念アルバムとしては、卒業アルバムに限らず、例えば２０周年記念行事等の周年行事についての写真集となるイヤーアルバム等、適宜のものを対象とすることができる。符号形式とされた前記各認証キーとこれに対応する教育機関名の情報および年度の情報とを対応づけて第４データベースとして記憶した第４記憶手段をさらに備えるようにして、この第４データベースにアクセスすることにより、各認証キーがどの教育機関のどの年度のものであるのかを適宜知り得るようにしておくこともできる。履修年数が複数年で、かつ第１認証キーが各学年共通で毎年発行される場合に、第２認証キーに履修年数に関する情報を含めておけば、別途履修年数を入力することなく、卒業アルバムを第２データベースに追加すべきＩＤ情報を検索することができる（第２認証キーに履修年数に関する情報を含めない場合は、履修年数を別途入力させるようにすればよい）。勿論、本発明の目的は、明記されたものに限らず、実質的に好ましいあるいは利点として表現されたものを提供することをも暗黙的に含むものである。
【符号の説明】
【００４７】
１：サーバ装置
２：ユーザ端末
Ｋ１（Ｋ１ＡＡ〜Ｋ１Ｃ）：第１認証キー
Ｋ２：第２認証キー
【要約】
【課題】購入写真をインターネットを介して自由に閲覧できる各個人専用のデータベース中に、記念アルバムを含ませることのできるようにする。
【解決手段】
撮影写真の購入リストとなる第２データベースが、教育機関の情報と年度情報を含む第１認証キーとユーザを識別するＩＤ情報と購入写真とが対応づけられる。
記念アルバムが発行されたときに、その年度情報と教育機関の情報とを含む第２認証キーが発行される。第２認証キーを第２データベース中の第１認証キーと照合して、記念アルバムの対象者となるＩＤ情報が検索される。検索されたＩＤ情報に対応させて、記念アルバムが第２データベースに追加される。
【選択図】  図１【図１】
0005918891.tif 000002
【図２】
0005918891.tif 000003
【図３】
0005918891.tif 000004
【図４】
0005918891.tif 000005
【図５】
0005918891.tif 000006
【図６】
0005918891.tif 000007
【図７】
0005918891.tif 000008